(57)【要約】【課題】ペン先を繰り返し弾性変形させても、長期にわたりソフトな筆記感を維持することができる筆記具を提供する。【解決手段】ペン先３が筆記時の筆圧により弾性変形可能な筆記具であって、弾性変形可能なペン先３と、前記ペン先３の側面に添設される弾性変形可能なペン先支持部材４とからなる。前記ペン先３の側面に凹部３１が形成され、前記ペン先支持部材４の側面に、前記凹部３１に係合可能な凸部４１が形成される。インキが含浸可能なインキ吸蔵体５を軸筒２内に収容する。軸筒２の前端開口部よりペン先３を外部に突出する。インキ吸蔵体５にペン先３の後端を接続する。ペン先支持部材４の中間部を、インキ吸蔵体５より前方の軸筒２の前端開口部の内面に軸支する。ペン先支持部材４と前記ペン先３とを添設状態でインキ吸蔵体５に没入する。【選択図】  図１
2010094907.tif 000002
【特許請求の範囲】
【請求項１】
ペン先が筆記時の筆圧により弾性変形可能な筆記具であって、弾性変形可能なペン先と、前記ペン先の側面に添設される弾性変形可能なペン先支持部材とからなることを特徴とする筆記具。
【請求項２】
前記ペン先の側面に凹部が形成され、前記ペン先支持部材の側面に、前記凹部に係合可能な凸部が形成される請求項１記載の筆記具。
【請求項３】
インキが含浸可能なインキ吸蔵体を軸筒内に収容し、前記軸筒の前端開口部よりペン先を外部に突出させ、且つ、前記インキ吸蔵体に前記ペン先の後端を接続し、前記ペン先支持部材の中間部を、前記インキ吸蔵体より前方の軸筒の前端開口部の内面に軸支し、前記ペン先支持部材と前記ペン先とを添設状態でインキ吸蔵体に没入してなる請求項１または２記載の筆記具。
【請求項４】
前記インキ吸蔵体が、第１のインキ吸蔵体と、第２のインキ吸蔵体と、前記第１のインキ吸蔵体と第２のインキ吸蔵体とを接続するインキ誘導部材とからなり、前記インキ誘導部材が、前記第１のインキ吸蔵体及び第２のインキ吸蔵体よりも硬質材料からなり、前記インキ誘導部材の前端に係合孔を設け、前記係合孔に前記ペン先支持部材の後端部を挿入してなる請求項３記載の筆記具。
【発明の詳細な説明】
【技術分野】
【０００１】
本発明は、筆記具に関する。詳細には、ペン先が筆記時の筆圧により弾性変形可能な筆記具に関する。
【背景技術】
【０００２】
特許文献１には、フェルトペン先の一側面を、舌状に突出する支持縁によって支承してなるフェルト万年筆の構造が記載されている。
【特許文献１】実公昭３５−２９５４２号公報
【発明の開示】
【発明が解決しようとする課題】
【０００３】
前記特許文献１の筆記具は、筆記時、筆圧によりペン先が弾性変形し、ソフトな筆記感が得られるとしても、ペン先自体の弾力性のみを利用する構造であるため、ペン先を繰り返し弾性変形させると、ペン先の弾力性が次第に弱くなったり、ペン先が折れ曲がったりして、ソフトな筆記感を長期にわたり維持することができないおそれがある。
【０００４】
本発明は、前記従来の問題点を解決するものであって、ペン先を繰り返し弾性変形させても、長期にわたりソフトな筆記感を維持することができる筆記具を提供しようとするものである。尚、本発明において、「前」とはペン先側を指し、「後」とは反対側を指す。
【課題を解決するための手段】
【０００５】
［１］本願の第１の発明は、ペン先３が筆記時の筆圧により弾性変形可能な筆記具であって、弾性変形可能なペン先３と、前記ペン先３の側面に添設される弾性変形可能なペン先支持部材４とからなることを要件とする。
【０００６】
前記第１の発明の筆記具１は、弾性変形可能なペン先３の側面に弾性変形可能なペン先支持部材４が添設されることにより、筆記時の筆圧で、ペン先３とペン先支持部材４とが同時に弾性変形するため、ペン先３を繰り返し弾性変形させても、ペン先３の弾力性が次第に弱くなったり、ペン先３が折れ曲がったりすることがなく、長期にわたりソフトな筆記感を維持することができる。
【０００７】
［２］本願の第２の発明は、第１の発明の筆記具１において、前記ペン先３の側面に凹部３１が形成され、前記ペン先支持部材４の側面に、前記凹部３１に係合可能な凸部４１が形成されることを要件とする。
【０００８】
前記第２の発明の筆記具１は、ペン先３の側面の凹部３１に、ペン先支持部材４の側面の凸部４１が係合されることにより、ペン先３の前後方向の移動（即ちペン先３の脱落及びペン先３の埋没）を防止できる。
【０００９】
［３］本願の第３の発明は、第１または第２の発明の筆記具１において、インキが含浸可能なインキ吸蔵体５を軸筒２内に収容し、前記軸筒２の前端開口部よりペン先３を外部に突出させ、且つ、前記インキ吸蔵体５に前記ペン先３の後端を接続し、前記ペン先支持部材４の中間部を、前記インキ吸蔵体５より前方の軸筒２の前端開口部の内面に軸支し、前記ペン先支持部材４と前記ペン先３とを添設状態でインキ吸蔵体５に没入してなることを要件とする。
【００１０】
前記第３の発明の筆記具１は、ペン先支持部材４の中間部を、インキ吸蔵体５より前方の軸筒２の前端開口部の内面に軸支したことにより、軸支部分（軸部４２及び軸受凹部２１）より前方のペン先３及びペン先支持部材４が、筆記時の筆圧で弾性変形可能となる。また、前記第３の発明の筆記具１は、ペン先支持部材４とペン先３とを添設状態でインキ吸蔵体５に没入してなることにより、ペン先３を繰り返し弾性変形させても、ペン先３の後端とインキ吸蔵体５との安定した接続状態が維持される。
【００１１】
［４］本願の第４の発明は、第３の発明の筆記具１において、前記インキ吸蔵体５が、第１のインキ吸蔵体５１と、第２のインキ吸蔵体５２と、前記第１のインキ吸蔵体５１と第２のインキ吸蔵体５２とを接続するインキ誘導部材５３とからなり、前記インキ誘導部材５３が、前記第１のインキ吸蔵体５１及び第２のインキ吸蔵体５２よりも硬質材料からなり、前記インキ誘導部材５３の前端に係合孔５３ａを設け、前記係合孔５３ａに前記ペン先支持部材４の後端部を挿入してなることを要件とする。
【００１２】
本願の第４の発明の筆記具１は、インキ吸蔵体５が、第１のインキ吸蔵体５１と、第２のインキ吸蔵体５２と、前記第１のインキ吸蔵体５１と第２のインキ吸蔵体５２とを接続するインキ誘導部材５３とからなることにより、インキ吸蔵体全体の十分なインキ収容量を確保できる。また、本願の第４の発明の筆記具１は、インキ誘導部材５３が、第１のインキ吸蔵体５１及び第２のインキ吸蔵体５２よりも硬質材料からなり、インキ誘導部材５３の前端に係合孔５３ａを設け、係合孔５３ａにペン先支持部材４の後端部（係合突部４３）を挿入してなることにより、弾性変形時のペン先支持部材４の後端部の径方向の移動を確実に阻止でき、ペン先支持部材４の安定した弾性変形を得る。
【００１３】
尚、本発明で、インキ吸蔵体５（即ち、第１のインキ吸蔵体５１、第２のインキ吸蔵体５２、及びインキ誘導部材５３）を構成する多孔質材料とは、例えば、繊維束の加工体（例えば、繊維束の樹脂加工体、または繊維束の熱融着加工体等）、フェルトの加工体（例えば、フェルトの樹脂加工体、フェルトの熱融着加工体、フェルトのニードルパンチ加工体等）、または、連続気泡体（例えば、スポンジ）等が挙げられる。
【００１４】
尚、本発明で、前記ペン先３は、例えば、繊維束の加工体、合成樹脂の連続気泡体、毛細間隙を有する合成樹脂の成形体等を挙げることができる。
尚、本発明で、前記ペン先支持部材４は、例えば、合成樹脂の成形体が挙げられる。
【発明の効果】
【００１５】
本発明の筆記具は、筆記時の筆圧で、ペン先とペン先支持部材とが同時に弾性変形するため、ペン先を繰り返し弾性変形させても、ペン先の弾力性が次第に弱くなったり、ペン先が折れ曲がったりすることがなく、長期にわたりソフトな筆記感を維持することができる。
【発明を実施するための最良の形態】
【００１６】
図１乃至図５に本発明の実施の形態を示す。
本実施の形態の筆記具１は、軸筒２と、前記軸筒２内に収容されるインキ吸蔵体５と、前記インキ吸蔵体５に突き刺し接続されるペン先３と、前記インキ吸蔵体５内に没入され且つペン先３側面に添設されるペン先支持部材４とからなる。
【００１７】
前記軸筒２は、前軸２ａと後軸２ｂとからなる。前記前軸２ａ及び後軸２ｂは、円筒状の合成樹脂成形体からなる。前記後軸２ｂの前端開口部内面に、前軸２ａの後部外面が圧入される。
【００１８】
前記前軸２ａの前端開口部内面に、環状部材２ｃが圧入される。前記環状部材２ｃの後端が、前軸２ａの前端開口部内面の段部２２に当接される。前記前軸２ａの段部２２後方の内面には、軸線に対して１８０度対称位置に、軸方向に延びかつ前方に開口する一対の凹溝が形成される。前記凹溝は、環状部材２ｃにより前方が塞がれ、前記凹溝の後端と環状部材２ｃの後端との間で軸受凹部２１が形成される。前記環状部材２ｃにより、軸受凹部２１からの軸部４２の脱落を防止できる。
【００１９】
前記インキ吸蔵体５は、第１のインキ吸蔵体５１、第２のインキ吸蔵体５２、及びインキ誘導部材５３とからなる。前記第１のインキ吸蔵体５１及び第２のインキ吸蔵体５２は、繊維束の加工体からなる。前記インキ誘導部材５３は、繊維の樹脂加工体からなり、前記第１のインキ吸蔵体５１及び第２のインキ吸蔵体５２より硬質材料よりなる。前記第１のインキ吸蔵体５１の後端及び前記第２のインキ吸蔵体５２の前端には、前記インキ誘導部材５３が突き刺し接続される。
前記インキ誘導部材５３は、軸方向に係合孔５３ａが貫設される。前記インキ誘導部材５３の係合孔５３ａは、横断面方形状に形成される。
【００２０】
前記ペン先３は、繊維束の加工体からなり、板状に形成される。前記ペン先３は、第１のインキ吸蔵体５１の前面に突き刺し接続される。前記ペン先３の片側側面には、凹部３１が形成される。前記ペン先３は軸筒２（前軸２ａ）の前端開口部より前方に突出される。
【００２１】
前記ペン先支持部材４は、板状の合成樹脂の成形体からなる。前記ペン先支持部材４の側面は、ペン先３の片側の側面に接触される。それにより、前記ペン先支持部材４の側面が、ペン先３の片側の側面に添設される。前記ペン先３の前端は、ペン先支持部材４の前端より前方に突出される。前記ペン先支持部材４は、ペン先３の側面（即ちペン先３の凹部３１からペン先３後端までの側面）を接触状態で支持する。
【００２２】
前記ペン先支持部材４の前端側面には、径方向に突出する凸部４１が一体に形成される。前記ペン先支持部材４側面の凸部４１が、前記ペン先３側面の凹部３１に係合される。それにより、ペン先３の前後方向の移動（即ちペン先３の脱落及びペン先３の埋没）を防止できる。
【００２３】
前記ペン先支持部材４の中間部の両側面（幅方向の両側面）には、軸部４２が一体に突設される。前記軸筒２（前軸２ａ）の前端開口部の内面の軸受凹部２１には、前記ペン先支持部材４の軸部４２が係合され、ペン先支持部材４が軸支される。それにより、前記軸支部分（軸部４２及び軸受凹部２１）よりも前方のペン先３及びペン先支持部材４が弾性変形可能となる。
【００２４】
前記ペン先支持部材４の軸部４２よりも後方部分は、後方に向かって先細形状となる。前記ペン先支持部材４の後端部が、横断面略正方形形状の係合突部４３となり、前記係合突部４３が前記インキ誘導部材５３の係合孔５３ａに挿入され、前記係合突部４３が前記係合孔５３ａに係合される。
【００２５】
尚、本実施の形態では、前記インキ吸蔵体５には、熱変色性インキが含浸される。前記熱変色性インキは、可逆熱変色性インキである。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００２６】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。
【００２７】
図４に示すように、本実施の形態の筆記具１は、非筆記時、ペン先３及びペン先支持部材４は、弾性変形していない。図５に示すように、本実施の形態の筆記具１は、筆記時の筆圧で、ペン先３とペン先支持部材４とが同時に弾性変形する。そのため、ペン先３を繰り返し弾性変形させても、ペン先３の弾力性が次第に弱くなったり、ペン先３が折れ曲がったりすることがなく、長期にわたりソフトな筆記感を維持することができる。
【図面の簡単な説明】
【００２８】
【図１】本発明の実施の形態の縦断面図である。
【図２】図１のＡ−Ａ線断面図である。
【図３】図１のＢ−Ｂ線断面図である。
【図４】非筆記時（弾性変形前）のペン先及びペン先支持部材の斜視図である。
【図５】筆記時（弾性変形状態）のペン先及びペン先支持部材の斜視図である。
【符号の説明】
【００２９】
１  筆記具
２  軸筒
２ａ  前軸
２ｂ  後軸
２ｃ  環状部材
２１  軸受凹部
２２  段部
３  ペン先
３１  凹部
４  ペン先支持部材
４１  凸部
４２  軸部
４３  係合突部
５  インキ吸蔵体
５１  第１のインキ吸蔵体
５２  第２のインキ吸蔵体
５３  インキ誘導部材
５３ａ  係合孔
Ｐ  筆跡
【図１】
2010094907.tif 000003
【図２】
2010094907.tif 000004
【図３】
2010094907.tif 000005
【図４】
2010094907.tif 000006
【図５】
2010094907.tif 000007